(57)【要約】【課題】  金属材質の調理容器全体をハードアノダイジング（硬質被膜）処理して腐食を防止し、内部に所定の高さまで保温効果及び優秀な鉱物質を放出する天然石を固着すると共に、天然石を固着していない調理容器の上端部外側に、取っ手をリベッティングして調理容器を容易に把持できるようにした天然石を備えた調理容器を提供する。【解決手段】  天然石を備えた調理容器(10a)は、内部に食べ物を入れて調理することができる空間を持ち、金属材質で作られ、上縁部に複数の結合孔(22)が形成された本体(20)と、本体の腐食防止をし、熱伝導率及び強度を増加させるために周り全体をハードアノダイジング処理して形成したコーティング層(30)と、本体の底面から結合孔の下部まで固着されて外部の熱及び鉱物質を食べ物に伝達する天然石(40)と、本体のコーティング層の形成後、結合孔に差し込むリベット(52)によって本体と一体に結合される取っ手(50)と、からなる。【選択図】  図２
0003112579.tif 000002
【実用新案登録請求の範囲】
【請求項１】
内部に食べ物を入れて調理することができる空間を有し、上縁部に複数の結合孔（２２）を形成した金属材質の本体（２０）と、
前記本体の腐食を防止し、かつ、熱伝導率及び強度を増加させるために周り全体をハードアノダイジング処理して形成したコーティング層（３０）と、
前記本体の底面から前記結合孔の下部まで固着され、外部の熱及び鉱物質を食べ物に伝達する天然石（４０）と、
前記本体のコーティング層の形成後、前記結合孔に差し込むリベット（５２）によって、前記本体と一体的に結合される取っ手（５０）と、を含んでなることを特徴とする石を備えた調理容器。
【考案の詳細な説明】
【技術分野】
【０００１】
本考案は天然石を備えた調理容器に関するもので、より詳細には、金属材質の調理容器全体をハードアノダイジング処理して腐食を防止し、内部に所定の高さまで保温効果を維持し、優れた鉱物質を放出する天然石を固着すると共に、天然石を固着しない調理容器の上端部外側に取っ手をリベッティングして調理容器を容易に把持できるようにした天然石を備えた調理容器に関するものである。
【背景技術】
【０００２】
一般的に、食堂や家庭で使う調理容器の材質は金属である。最近になって、このような調理容器は、熱伝導度は高いが保温性が低いため、内面全体にかけて天然石を積層した構造が提案されている。
【０００３】
このような形態の調理容器においては、外部から加わる熱を天然石によって吸収した後、天然石からの熱を容器内部に均一に伝達しながら保温するので、ご飯を炊く場合、完全に蒸らすことができ、おいしいご飯が楽しめる。
【０００４】
しかし、従来の調理容器は内部面全体にかけて天然石を積層するため、取っ手を設置するために天然石に穴を開けなければならず、同過程で石が割れて取っ手を設置できなくなるという問題点があった。
そして、従来の調理容器は金属材質なので、腐食防止のためにハードアノダイジング処理を施さなければならない。この時、天然石があるために穴を開けることができないため、通電ニッパーを使って容器の一部分をつかんだ状態で、空気中で電流を通電させてハードアノダイジング処理を施すため、通電ニッパーによる把持部位はハードアノダイジング処理が行われないといった問題点があった。
【特許文献１】大韓民国実願１９９２−１２６５９
【考案の開示】
【考案が解決しようとする課題】
【０００５】
本考案は、前述した問題点を解決するためになされたもので、調理容器の本体上端部に通孔された結合孔に通電ニッパーを差し込んで電流を流すことによって、本体の全体にハードアノダイジング処理を施し、本体の内部から結合孔の下部まで天然石を固着すると共に、結合孔に取っ手をリベッティングすることで、調理容器を容易に把持できるようにした天然石を備えた調理容器を提供することをその目的とする。
【課題を解決するための手段】
【０００６】
前記した目的を達成するための本考案の天然石を備えた調理容器は、内部に食べ物を入れて調理することができる空間を有し、上縁部に複数の結合孔（２２）を形成した金属材質の本体（２０）と、前記本体の腐食を防止し、かつ、熱伝導率及び強度を増加させるために周り全体をハードアノダイジング処理して形成したコーティング層（３０）と、前記本体の底面から前記結合孔の下部まで固着され、外部の熱及び鉱物質を食べ物に伝達する天然石（４０）と、前記本体のコーティング層の形成後、前記結合孔に差し込むリベットによって、前記本体と一体的に結合される取っ手（５０）を含んでなることを特徴とする。
なお天然石は多量の鉱物質（種々のミネラル）を含有しており本考案に用いるのに好ましい材質であるが、人工石なども良好なミネラル分を含み、調理により食材にミネラル分を付与することができるものであれば、当然にこれを使用してやることもできる。
【考案の効果】
【０００７】
本考案による天然石を備えた調理容器は、金属材質の本体内部に天然石を固着することによってその保温性が増大し、多量の鉱物質を放出して食べ物を調理する助けになる。また、本考案の調理容器では、本体の周り全体にハードアノダイジング処理が施されているため、その腐食が抑制される。
【０００８】
さらに、本考案の調理容器では、本体内部に天然石を固着した状態で天然石が設置されていない本体上端部に取っ手を結合することで、比較的重い本体を容易に把持することができる。
【０００９】
特に、本考案では、ハードアノダイジング処理を通じて次のような利点を持つ。
第一に、アルミニウムのような強度が弱い金属本体にハードアノダイジング処理をすることで、本体の強度が増大する。
第二に、ハードアノダイジング処理をするコーティング層によって本体の引っかかり現象が顕著に減少する。
第三に、ハードアノダイジング処理を通じて天然石の固着状態を堅固に維持することができる。
第四に、取っ手部分にもハードアノダイジング処理を施すことで、天然石による相当な荷重を持つ本体を操作するための取っ手の強度を増大させることができる。
【考案を実施するための最良の形態】
【００１０】
以下、本考案の構成を添付した図面を参照してより詳細に説明する。
【００１１】
図１は本考案の第１の実施例に係る天然石を備えた調理容器の斜視図であり、図２は本考案の第１の実施例に係る天然石を備えた調理容器の断面図である。そして、図３及び図４は本考案の他の実施例に係る天然石を備えた調理容器の斜視図である。
【実施例１】
【００１２】
まず、図１及び図２に示したように、本考案の第１の実施例に係る天然石を備えた調理容器１０ａは、内部に食べ物を入れて調理することができる空間を持ち、金属材質で作られ、上縁部に複数の結合孔２２が形成された本体２０と、本体２０の腐食防止をし、かつ、熱伝導率及び強度を増加させるために周り全体をハードアノダイジング処理して形成したコーティング層３０と、本体２０の底面から結合孔２２の下部まで固着されて外部の熱及び鉱物質を食べ物（内容物）に伝達する天然石４０と、本体２０のコーティング層３０の形成後、結合孔２２に差し込むリベット５２によって本体２０と一体に結合される取っ手５０と、からなる。
【００１３】
本実施例において、調理容器１０ａの一例として鍋を例示する。
調理容器１０ａの本体２０は内容物を入れることができるように上部が開放され、内部には空間を持つ。この本体２０は金属材質で構成される。この時、本体２０は比較的軽いアルミニウム材質で製造するのが好ましい。
また調理容器１０ａの本体２０の上縁部には複数の結合孔２２が穿孔される。この時、結合孔２２は本体２０の上椽に対向する位置にそれぞれ一双ずつ備えることが好ましい。
【００１４】
また、本体２０には腐食防止と熱伝導率及び強度の増加のためにハードアノダイジング処理が施され、表面にコーティング層３０が形成される。なおハードアノダイジング（硬質被膜）処理とは、アルミニウム表面に酸化被膜を被覆する作業をいう。すなわち、ハードアノダイジング処理は大気中で安定した酸化被膜を形成できる材料、例えばアルミニウム、チタンなどを適正な溶液で電気を加えて表面に人工酸化被膜を形成させることをいう。この時、ハードアノダイジング処理のために本体２０はアルミニウム材質で製造するのが好ましい。
【００１５】
なおハードアノダイジング処理によるコーティング層３０の形成状態は、電解液の種類、濃度、電圧、電流の性質、電流密度、温度、電解時間、液の量などによって異なってくるため、アルミニウムの材質、加工状態に適切な条件を選定しなければならない。ここでは既に公知である多種のハードアノダイジング法のうちから適切な工法を選定して利用することができる。なお、コーティング層３０の厚さは５０μｍ以上になることが好ましい。
この時、従来、本体２０をハードアノダイジング処理する際には、通電のために通電ニッパー（不図示）を使用していたが、本考案の場合には通電ニッパーを結合孔２２に差し込んで固定した状態でコーティング層３０を形成することで、従来と違い内外面全体にかけてコーティング層３０を形成することができる。
【００１６】
そして、本体２０の内部に天然石４０を固着する。この時、天然石４０は本体２０の内部面に密着するように、本体２０の内面と同様な外面形状を持つことが好ましい。天然石４０と本体２０との相互結合は公知の工法で行う。この時、天然石４０は本体２０の内部底面から所定の高さまで、例えば結合孔２２の下部までとなるような高さに形成して本体２０に固着する。これにより、本体２０の結合孔２２にリベット５２によって取っ手５０を固設することができる。
【００１７】
ここで天然石４０には保温性が高く、多様な鉱物質、特にミネラル、遠赤外線などを放出する麦飯石や花崗岩などを用いることが好ましい。遠赤外線とは、波長が５〜２５ミクロンの目に見えない光線で、様々な有益な性質があることで知られている。波長が長くて物体の深くまで侵透し、物質の分子を容易に震動させて自体発熱させる。
【００１８】
このような作用で、本体２０は外部の熱源によって加熱されると、天然石４０から放出される遠赤外線によって食べ物の深い所まで熱が侵透し、食べ物を簡単に調理することができる。
【００１９】
ここで本体２０の内壁面には、固着した天然石４０による段差が形成されないように、その内壁面の肉厚が天然石４０の厚みに相当する分だけ減肉するような段差２４が形成されている。
【００２０】
また本体２０は取っ手５０を備える。この時、取っ手５０は天然石４０が固着されない本体２０の上縁部に設置されるため、取っ手は天然石４０に干渉せず天然石に取っ手取り付け用の加工は必要とされない。ここで取っ手５０を結合孔２２を通じて本体２０に強固に結合するために、本体２０には少なくとも一双ずつの結合孔２２を設けることが好ましい。
【００２１】
なお、取っ手５０を通常のボルトとナットを結合孔２２に挿着して本体２０に結合した場合、長期間の使用後、ねじの緩みが発生するため随時にボルトとナットを締め付けなければならない煩わしさがある。
そのため、本考案ではリベット５２を利用したリベッティングによって取っ手５０を本体２０に結合することとした。すなわち、リベット５２を結合孔２２にそれぞれ差し込んだ状態で取っ手５０の下端部を貫通させた後、ハンマーなどでリベット５２の終端を打撃すると、リベットの直径が相対的に大きくなりながら長さが短くなるため、本体２０と取っ手５０を圧搾させて結合することができる。
【実施例２】
【００２２】
図３は、本考案の第２の実施例に係る天然石を備えた調理容器を示したもので、調理容器１０ｂの一例としてグリドルを示している。
【００２３】
この調理容器１０ｂにおいて、本体２０の周りにハードアノダイジング処理をして内部に天然石４０を固着した後、取っ手５０を装着して作る構造は前述した第１の実施例と同様なので、それに対する詳細な説明は略し、未説明符合も前述した構成と同様なので、それに関する追加説明は省略する。
【実施例３】
【００２４】
また、図４は本考案の第３の実施例に係る天然石を備えた調理容器を示したもので、調理容器１０ｃの一例としてフライパンを示している。
【００２５】
この調理容器１０ｃは、前述した第１の実施例と同様に、ハードアノダイジング処理して、天然石４０を内部に固着した状態で取っ手５０を本体２０にだけ装着している。また、未説明符号も前述の構成と同様なので、それに関する追加説明は省略する。
【図面の簡単な説明】
【００２６】
【図１】本考案の第１の実施例に係る天然石を備えた調理容器の斜視図である。
【図２】本考案の第１の実施例に係る天然石を備えた調理容器の断面図である。
【図３】本考案の第２の実施例に係る天然石を備えた調理容器の斜視図である。
【図４】本考案の第３の実施例に係る天然石を備えた調理容器の斜視図である。
【符号の説明】
【００２７】
１０ａ、１０ｂ、１０ｃ  調理容器
２０  本体
２２  結合孔
３０  コーティング層
４０  天然石
５０  取っ手
５２  リベット
【図１】
0003112579.tif 000003
【図２】
0003112579.tif 000004
【図３】
0003112579.tif 000005
【図４】
0003112579.tif 000006